(57)【要約】【課題】手の平側へ向いた指を甲側へ戻す反復運動を助け、指と指の間の水平方向への完全密着を防いで開閉を助け、手指にかかる負担を軽減して、手指の筋肉疲労を軽減する手袋を提供する。【解決手段】本手袋は、１）第１指のＰＩＰ関節部から指先部および第２指乃至第５指のＰＩＰ関節部から指先部が切断された手袋本体、２）手袋本体の第１指乃至第４指の基節骨部を、手の平側から甲側の手首に向けて中手骨に沿って張力を付与する弾性体、３）手袋本体と弾性体を手首に固定する手首ベルト部を備える。弾性体は、第１指（親指部）と第２指（人差し指部）の間が分離されており、第２指乃至第４指を個別に引っ張るように独立して設けられ、手の甲のＭＰ関節部とＣＭ関節部の途中から手首にかけて一体化されている。【選択図】図１
2015203162.tif 000002
【特許請求の範囲】
【請求項１】
第１指のＩＰ関節部から指先部および第２指乃至第５指のＰＩＰ関節部から指先部が切断された手袋本体と、
前記手袋本体の第１指乃至第４指の基節骨部を、手の平側から甲側の手首に向けて中手骨に沿って張力を付与する弾性体と、
前記手袋本体と前記弾性体を手首に固定する手首ベルト部と、
を備えることを特徴とする手袋。
【請求項２】
前記弾性体は、第１指と第２指の間が分離されていることを特徴とする請求項１に記載の手袋。
【請求項３】
前記弾性体は、第２指乃至第４指を個別に引っ張るように独立して設けられ、手の甲のＭＰ関節部とＣＭ関節部の途中から手首にかけて一体化されていることを特徴とする請求項１又は２に記載の手袋。
【請求項４】
前記弾性体は、手の平側の第１指乃至第４指の基節骨部およびＭＰ関節部を、手の平側から甲側の手首に向けて中手骨に沿って引っ張ることを特徴とする請求項１〜３の何れかに記載の手袋。
【発明の詳細な説明】
【技術分野】
【０００１】
本発明は、手の甲の姿勢および各指の動きをサポートする手袋に関する。
【背景技術】
【０００２】
ギター演奏は、片手（主に左手）の指でネック部分の弦を押さえ、もう一方の手（主に右手）の指でボディ部分の弦を弾くことにより成り立っている。この時、通常、両手は素手のままで演奏を行う。ギター演奏の練習では、弦を弾いた後、手の平側に向いた指を甲側に引く（戻す）という反復運動が多く、指のつけ根の関節（以下、「ＭＰ関節」）に負担がかかり、手指の筋肉を疲労させ、腱鞘炎を引き起こすことがある。
【０００３】
一方、手の握力の増強や手の微動作を促進させるグローブ（手袋）が知られている（例えば、特許文献１を参照）。また、手のリハビリ効果を得ることができるリハビリ用手袋が知られている（例えば、特許文献２を参照）。また、キーボードやマウス等の使用時にはめる保護手袋が知られている（例えば、特許文献３を参照）。
【０００４】
特許文献１に開示されたグローブ（手袋）では、手袋本体の素材よりも収縮力の強い生地が、第２指乃至第５指の手甲部側中央部からＰＩＰ関節部にかけて第２指乃至第５指の左右両側面に設けられており、手甲部側中央部及びＰＩＰ関節の掌部側で接続される。そして、第２指乃至第５指の当該生地のＭＰ関節部に弾性体が設置される。このグローブ（手袋）は、ＭＰ関節の初動屈曲を誘導することにより、虫様筋の筋作用を促し、手の握力を最大限に発揮させるものである（特許文献１の明細書段落００１４および図５を参照）。
このように、特許文献１に開示されたグローブ（手袋）は、虫様筋の筋作用を促し、手の握力を高める効果はあるが、手指にかかる負担を軽減して、手指の筋肉疲労を軽減するものではない。
【０００５】
また、特許文献２に開示されたリハビリ用手袋では、複数の指挿入部を有する手袋本体の甲側に、各指挿入部に沿ってそれぞれ設けられた可撓性の筒状体と、この筒状体に挿通されて指先側となる一端部が筒状体の端部に係止される紐状体と、この紐状体の他端側に張力を付与する張力付与機構とから成る。しかし、特許文献２に開示されたリハビリ用手袋は、手の指を伸ばすことが困難な使用者のリハビリ効果はあるが、手指にかかる負担を軽減して、手指の筋肉疲労を軽減するものではない。
【０００６】
また、特許文献３に開示された保護手袋では、キーボードやマウス等を使用する人が指、手首、腕、肩の疲労、痛み等を防止、緩和することを目的として、親指と手のひらを露出させて、人指し指、中指、薬指、小指の各指先がなく、親指を除く４本の指を個々に収納する部分が互いに縫い合わされており、かつ非伸縮性の帯を４本の指の付け根あたりに縫い込んで、各指が無理のない範囲内で動くようにしたものである。この保護手袋は、人指し指、中指、薬指、小指を収納する部分が互いに縫い合わされた構造であるため、マウス上に手を乗せて操作する場合も４本の指が自然に固定され非常に疲れにくいというものである。また、４本の指は常に揃えたような状態を維持できるので不自然なマウスの握りから生じる指、腕などの痛み、痺れを防止できるというものである。さらに、キー操作する場合も、生理的に無理のない範囲内で各指を上下左右に動かすことができ、長時間のキーボード操作から生じる指、手、肩等の疲労も少なく、また腱鞘炎の防止にも有効であるというものである。しかし、特許文献３に開示された保護手袋は、人指し指、中指、薬指、小指を収納する部分が互いに縫い合わされた構造であり、かつ、非伸縮性の帯を４本の指の付け根あたりに縫い込んでいる構造であり、４本の指が常に揃えたような状態を維持できる効果はあるが、手指にかかる負担を軽減して、手指の筋肉疲労を軽減するものではない。
【先行技術文献】
【特許文献】
【０００７】
【特許文献１】国際公開パンフレットＷＯ２００８／１４９４６６
【特許文献２】特開２０１２−１７６０８３号公報
【特許文献３】特開２０００−２３１４３６号公報
【発明の概要】
【発明が解決しようとする課題】
【０００８】
上述の通り、ギターやピアノなどの楽器の演奏時において、弦や鍵盤を弾いた後、手の平側に向いた指を甲側に引く（戻す）という反復運動が多く、指のつけ根の関節に負担がかかり、手指の筋肉を疲労させ、腱鞘炎を引き起こすことがある。また、手の筋肉が弱い者にとっては、短時間の動作でも疲労が生じやすく、演奏に必要な指と指の間を水平方向に適度に開く姿勢を保つのが困難になることがある。
手の甲は、自然に安定していることが望ましいが、甲が反りかえって力が入ると、指先の柔軟な動きを妨げてしまうことになる。
【０００９】
かかる状況に鑑みて、本発明は、手の平側へ向いた指を甲側へ戻す反復運動を助け、指と指の間の水平方向への完全密着を防いで開閉を助け、手指にかかる負担を軽減して、手指の筋肉疲労を軽減する手袋を提供することを目的とする。
【課題を解決するための手段】
【００１０】
上記課題を解決するために、本発明者は鋭意検討を行い、試作品の手袋を作製して、実際に楽器演奏を行い、手指の筋肉疲労を軽減できる手袋を完成した。
すなわち、本発明に係る手袋は、下記１）〜３）の構成を備える。
１）第１指のＩＰ関節部から指先部および第２指乃至第５指のＰＩＰ関節部から指先部が切断された手袋本体
２）手袋本体の第１指乃至第４指の基節骨部を、手の平側から甲側の手首に向けて中手骨に沿って張力を付与する弾性体
３）手袋本体と弾性体を手首に固定する手首ベルト部
【００１１】
かかる構成を備える手袋は、ギター演奏の際に弦を弾く側の手に装着する、或は、ピアノ演奏の際に、片手又は両手に装着することにより、弦や鍵盤を弾いた後、手の平側へ向いた指を甲側へ戻すという反復運動を助けて、手の甲の姿勢を安定させることができる。また、指と指の間の水平方向への完全密着を防いで開閉を助ける。これにより、演奏時の手指にかかる負担や手指の筋肉疲労を軽減することが可能になる。
本発明の手袋を装着することにより、手指の関節の保護および手の甲の姿勢の安定性を向上できる。
ここで、張力を付与する弾性体とは、引っ張りながら同時に手の甲を押さ得るものであり、手袋本体の素材よりも収縮力が強い素材から成る。
【００１２】
なお、第５指の基節骨部を、手の平側から甲側の手首に向けて中手骨に沿って張力を付与する弾性体を設けても構わない。例えば、ギター演奏では、第５指を使用する頻度が少なく、また力も弱いため、逆に弾性体の存在が負担になる。しかし、ピアノ演奏のように、第５指を使用する頻度が多い場合は、第５指の基節骨部を、手の平側から甲側の手首に向けて中手骨に沿って張力を付与することにより、第５指にかかる負担を軽減して、第５指の筋肉疲労を軽減可能である。
【００１３】
また、本発明に係る手袋において、上記２）の弾性体は、第１指と第２指の間が分離されていることが好ましい。
なお、第１指の基節骨部を、手の平側から甲側の手首に向けて張力を付与する弾性体は、ＭＰ関節の動きを妨げないように、次第にベルト幅を細くするのが好ましい。一方、弾性体が、手の平側のＭＰ関節を覆うようにしても構わない。腱鞘炎防止の場合  ＭＰ関節を覆ってしっかりと保護した方が、より疲れが出にくい場合もある。
【００１４】
また、本発明に係る手袋において、上記２）の弾性体は、第２指乃至第４指を個別に引っ張るように独立して設けられ、手の甲のＭＰ関節部とＣＭ関節部の途中から手首にかけて一体化されていることが好ましい。
弾性体が、手の甲のＭＰ関節部とＣＭ関節部の途中から手首にかけて一体化されることにより、手の甲をしっかりと押さえる効果がある。
【００１５】
また、本発明に係る手袋において、上記２）の弾性体は、手の平側の第１指乃至第４指の基節骨部およびＭＰ関節部を、手の平側から甲側の手首に向けて中手骨に沿って引っ張ることが好ましい。
手の平側の第１指乃至第４指の基節骨部だけでなく、手の平側の第１指乃至第４指のＭＰ関節を覆ってしっかりと保護した方が、より疲れが出にくい人もいるからである。
【発明の効果】
【００１６】
本発明に係る手袋によれば、手の平側へ向いた指を甲側へ戻す反復運動を助け、指と指の間の水平方向への完全密着を防いで開閉を助け、手指にかかる負担を軽減して、手指の筋肉疲労を軽減できるといった効果がある。
【図面の簡単な説明】
【００１７】
【図１】実施例１の手袋（手の甲側から見たイメージ）
【図２】実施例１の手袋（手の平側から見たイメージ）
【図３】実施例１の手袋を右手に装着した様子（手の甲側から見たイメージ）
【図４】実施例１の手袋を右手に装着した様子（手の平側から見たイメージ）
【図５】実施例１の手袋を右手に装着した様子（親指側から見たイメージ）
【図６】実施例１の手袋の手首ベルト部の説明図
【図７】実施例１の手袋を装着してギターを演奏する様子を示す図
【図８】実施例２の手袋（手の平側から見たイメージ）
【図９】実施例３の手袋（手の甲側から見たイメージ）
【図１０】実施例３の手袋（手の平側から見たイメージ）
【図１１】指の骨および関節の説明図
【発明を実施するための最良の形態】
【００１８】
以下、本発明の実施形態の一例を、図面を参照しながら詳細に説明していく。なお、本発明の範囲は、以下の実施例や図示例に限定されるものではなく、幾多の変更及び変形が可能である。
【００１９】
先ず、指の骨や関節について図１１に示す。図１１において、２４は第１指のＩＰ（Interphalangeal）関節部であり、２５ａ〜２５ｄはそれぞれ第２指から第５指のＰＩＰ（Proximal Interphalangeal）関節部であり、２６ａ〜２６ｅはそれぞれ第１指から第５指の基節骨であり、２７ａ〜２７ｅはそれぞれ第１指から第５指のＭＰ（Metacarpophalangeal）関節部であり、２８ａ〜２８ｅはそれぞれ第１指から第５指の中手骨である。
【実施例１】
【００２０】
図１は実施例１の手袋１の手の甲側のイメージ、図２は手の平側のイメージを示している。また、図３，４は実施例１の手袋１を右手に装着したイメージを示している（図３は手の甲側、図４は手の平側）。また、図５は親指側から見たイメージを示している。
手袋１は、第１指のＩＰ関節部から指先部および第２指乃至第５指のＰＩＰ関節部から指先部が切断された手袋本体（４，４ａ〜４ｅ）と、手袋本体の第１指４ａに設けられた弾性体２、手袋本体の第２指４ｂ，第３指４ｃ，第４指４ｄの基節骨部を、手の平側から甲側の手首に向けて中手骨に沿って張力を付与する弾性体３と、手袋本体と弾性体を手首で固定する手首ベルト部８から構成される。実施例１の手袋では、弾性体は、第１指（親指部）と第２指（人差し指部）の間が分離され、２つの弾性体（２，３）となっている。弾性体３は、第２指乃至第４指を個別に引っ張るように独立して設けられ、手の甲のＭＰ関節部（２７ｂ〜２７ｄ）とＣＭ関節部（２９ｂ〜２９ｄ）の途中から手首にかけて一体化されている。
手袋本体は、伸縮性があり、薄手で手にフィットし、蒸れにくく、かぶれにくい素材で構成されている。手袋本体は、全ての指先が切断された形状であり、第１指（親指部）４ａ、第２指（人差し指部）４ｂ、第３指（中指部）４ｃ、第４指（薬指部）４ｄ、第５指（小指部）４ｅを備える。
【００２１】
弾性体２及び３は、手袋本体４の構成素材よりも弾性の強い素材で構成されている。
弾性体２は、第１指のＩＰ関節２４からＭＰ関節２７ａの間にある基節骨２６ａに輪となる部分を引っ掛け、手の甲側に沿わせ、他端２ａを手首ベルト部８に接着する形状としている。
一方、弾性体３は、第２指乃至第４指のＰＩＰ関節部（２５ａ，２５ｂ，２５ｃ）からＭＰ関節（２７ｂ，２７ｃ，２７ｄ）の間にある基節骨（２６ｂ，２６ｃ，２６ｄ）に輪となる部分を引っ掛け、手の甲側に沿わせ、他端を手首ベルト部８に接着する形状としている。
また、弾性体３は、第２指乃至第４指を個別に引っ張るように独立して設けられ、手の甲のＭＰ関節部とＣＭ関節部の途中から手首にかけて一体化されている。Ｖ字状の切りこみ（６ａ，６ｂ，６ｃ）が存在し、これにより第２指乃至第４指のＭＰ関節部（２７ｂ，２７ｃ，２７ｄ）の動きを妨げない形状となっている。
【００２２】
また、弾性体２は、第１指の基節骨部から甲側の手首に向けて、次第に弾性体のベルト幅が細くなるような形状にしている。
また、図６に示すように、手首ベルト部８は、フラップ７付きで、面ファスナー（７ａ，７ｂ）により留めることができるようにしている。また、手の装着がしやすいように、手袋の手首ベルト部８には切れ込み９を設けている。なお、符号１１は縫い目である。
手袋は、薄手で、伸縮性があり、蒸れにくく、かぶれにくい素材で作製する。例えば、ゴルフ用手袋に用いられる素材など公知の素材を用いることができる。
【００２３】
図７は、実施例１の手袋を装着してギターを演奏する様子を示している。本手袋を装着することにより、ギター演奏で、ギター（２０，２１，２３）の弦２２を指先または爪に引っ掛けて弾き、手の平側に向いた指を甲側に引く（戻す）という運動を繰り返す場合でも、指のつけ根にかかる力の負担を軽減でき、指の筋肉の疲労を和らげることができる。
通常、ギターは６弦で構成されるが、弦と弦との間隔に指を開く姿勢を取りやすい。手首まで押さえを入れることにより、手の甲の浮き上がりを防ぎ、自然な姿勢で演奏できる。
【実施例２】
【００２４】
図８は実施例２の手袋の手の平側のイメージを示している。
実施例２の手袋１０は、手の平側の第１指乃至第４指の基節骨部のみならず、ＭＰ関節部を、手の平側から甲側の手首に向けて中手骨に沿って引っ張るものである。
そのため、実施例２の手袋１０は、実施例１の手袋１と異なり、手袋の手の平側でＭＰ関節部を覆うように弾性体２、弾性体３の面積が広がっている（１１，１２ａ，１２ｂ，１２ｃ）。
手の平側の第１指乃至第４指の基節骨部だけでなく、手の平側の第１指乃至第４指のＭＰ関節を覆ってしっかりと保護した方が、疲れが出にくい人には、実施例２の手袋１０が利用できる。
【実施例３】
【００２５】
図９及び図１０は実施例３の手袋のイメージを示している。図９は手の甲側のイメージであり、図１０は手の平側のイメージである。
実施例３の手袋２０は、フィット感を安定させるため、小指のＣＭ関節付近を手の甲側から手の平側にかけて、弾性体を張り出している（符号１５を参照）。弾性体の張り出しにより、小指を弾性体で引っ張ることができるため、手袋２０の小指側の滑り止めの効果が生じる。
【産業上の利用可能性】
【００２６】
本発明の手袋は、ギター演奏の練習用手袋、ピアノ演奏の練習用手袋、コンピュータのキーボード操作用手袋、精密作業用手袋、筋力補助用手袋などに有用である。
【符号の説明】
【００２７】
１，１０，２０  手袋
２，３，３ａ〜３ｅ  弾性体
４，４ａ〜４ｅ  手袋本体
８  手首ベルト部
【図１】
2015203162.tif 000003
【図２】
2015203162.tif 000004
【図３】
2015203162.tif 000005
【図４】
2015203162.tif 000006
【図５】
2015203162.tif 000007
【図６】
2015203162.tif 000008
【図７】
2015203162.tif 000009
【図８】
2015203162.tif 000010
【図９】
2015203162.tif 000011
【図１０】
2015203162.tif 000012
【図１１】
2015203162.tif 000013